(57)【要約】【課題】売れ行きの良い物品やサイズの比較的大きい物品の補充回数を削減することができるとともに、売れ行きの良い物品と悪い物品との補充タイミングのずれ発生を防止することができる物品払出装置を提供する。【解決手段】複数の物品払出ユニットＡ〜Ｈを選択的に収容する複数の収容空間部１００Ａ〜１００Ｄを装置筐体２のユニット収容空間１００に形成する。これにより、物品Ｐの売れ行きに応じた物品払出ユニットＡ〜Ｈの配置をユニット増減変更によって行うことができる。このため、物品払出ユニットＡ〜Ｈ間において物品Ｐの販売量に差異があっても、単一の物品払出ユニット間でその残量を均一化することができる。【選択図】        図１
2006024044.tif 000002
【特許請求の範囲】
【請求項１】
ユニット収容空間を内部に有する装置本体と、
前記装置本体のユニット収容空間に収容され、物品払出者による物品払出操作に応じて物品を払い出すサイズの異なる複数の物品払出ユニットと、
前記物品払出ユニットの物品払出操作を可能・不可能な状態に制御するコントローラとを備えた物品払出装置であって、
前記ユニット収容空間は、前記複数の物品払出ユニットを選択的に収容可能な複数の収容空間部を有することを特徴とする物品払出装置。
【請求項２】
ユニット収容空間を内部に有する装置本体と、
前記装置本体のユニット収容空間に収容され、物品払出者による物品払出操作に応じて物品を払い出す複数の物品払出ユニットと、
前記物品払出ユニットの物品払出操作を可能・不可能な状態に制御するコントローラとを備えた物品払出装置であって、
前記ユニット収容空間は、前記複数の物品払出ユニットのうち各ユニットサイズが互いに異なる少なくとも大中小３つの物品払出ユニット又はこれら少なくとも大中小３つの物品払出ユニットのうち特定の組み合わせによる複数の物品払出ユニットを選択的に収容可能な複数の収容空間部を有することを特徴とする物品払出装置。
【請求項３】
前記複数の収容空間部のうち特定の収容空間部には、前記大中小３つの物品払出ユニットのうち最大サイズの物品払出ユニットが収容されている請求項２に記載の物品払出装置。
【請求項４】
前記複数の収容空間部のうち特定の収容空間部には、前記大中小３つの物品払出ユニットのうち最小サイズの物品払出ユニット及び最大サイズと最小サイズとの間の中間サイズの物品払出ユニットが収容されている請求項２に記載の物品払出装置。
【請求項５】
前記複数の収容空間部のうち特定の収容空間部には、前記大中小３つの物品払出ユニットのうち最小サイズの物品払出ユニットが収容されている請求項２に記載の物品払出装置。
【請求項６】
前記複数の物品払出ユニットのうち特定の物品払出ユニットは、前記物品を玩具とする物品払出ユニットからなる請求項２から５のいずれか１項に記載の物品払出装置。
【請求項７】
前記複数の物品払出ユニットのうち特定の物品払出ユニットは、前記物品を食品とする物品払出ユニットからなる請求項２から５のいずれか１項に記載の物品払出装置。
【請求項８】
前記複数の物品払出ユニットのうち特定の物品払出ユニットは、前記物品をカード類とする物品払出ユニットからなる請求項２から５のいずれか１項に記載の物品払出装置。
【発明の詳細な説明】
【技術分野】
【０００１】
本発明は、透明なカプセル状の収納容器に収納された玩具・ガム等の商品（物品）を１個ずつ払い出す複数の物品払出ユニットを備えた物品払出装置に関し、特に、複数の物品払出ユニットを選択的に収容することのできる物品払出装置に関する。
【背景技術】
【０００２】
例えば、玩具やガム・飴・チョコレート等の物品を内封する透明な多数のカプセルが収納された筐体を有し、この筐体内の物品をカプセルごと購買者による代金投入後のハンドル回転操作によって撹拌しながら一つずつ払い出す物品払出装置がある。
【０００３】
このような物品払出装置は、筐体内の物品が購買者の目に止まるようにその色彩や装飾に工夫が施され、物品を広く宣伝したり、集客性を高めたりすることができるような場所に設置される。販売される物品は、物品払出装置の管理者によって管理され、物品の売り上げ状況や物品についての販売企画に基づいて物品の補充、あるいは交換が定期的に行われる。
【０００４】
従来、この種の物品払出装置への物品の補充を容易に行えるようにしたものがある（例えば、特許文献１参照。）。
【０００５】
特許文献１の物品取出装置（物品払出装置）は、装置本体の上部に物品収納ケースが着脱自在に取り付けられ、物品収納ケースを交換し得るように構成されている。
【０００６】
特許文献１の物品払出装置によると、物品収納ケース内の物品変更は、物品収納ケースを交換することにより行われる。
【特許文献１】特開平９−３２６０８１号公報（[００２４]、図３）
【発明の開示】
【発明が解決しようとする課題】
【０００７】
しかし、特許文献１の物品払出装置によると、交換可能な物品収納ケースのサイズが一定であるため、１個のサイズが大きな物品を扱う場合には小さい物品を扱う場合と比べて物品の収納量が少なくなる。このため、物品が売れて物品の残量が尽きると、その補充を頻繁に行わなくてはならなくなる。これは、物品の残量が僅かになると、この状態を視認した購買者の購買意欲が減退するため、販売量が低下する虞が生じ、この事態を回避する必要があるからである。また、物品が購買者に不人気なものであるといつまでも収納量が減らず、売れ行きの良い物品との補充タイミングにずれが生じ、この場合にも売れ行きが悪いという印象を購買者に与えて販売量が低下する虞が生じる。特に、取り扱う物品が食品である場合には、賞味期限を過ぎると物品を回収・廃棄しなければならず、物品の回収・廃棄といった面倒な作業が必要になる。
【０００８】
従って、売れ行きの良い物品やサイズの比較的大きい物品の補充回数を削減するとともに、売れ行きの良い物品と悪い物品との補充タイミングのずれ発生を防止するために、各物品払出ユニットの物品収納量を均一化することができる物品払出装置の出現が従来から要望されていた。
【０００９】
本発明は、このような要望に応えるべくなされたもので、複数の物品払出ユニットを選択的に収容可能な複数の収容空間部を装置筐体のユニット収容空間に形成するというきわめて簡単な構成により、各物品払出ユニットの物品収納量を均一化することができ、もって売れ行きの良い物品やサイズの比較的大きい物品の補充回数を削減することができるとともに、売れ行きの良い物品と悪い物品との補充タイミングのずれ発生を防止することができる物品払出装置を提供する。
【課題を解決するための手段】
【００１０】
本発明は、上記した目的を達成するため、ユニット収容空間を内部に有する装置本体と、前記装置本体のユニット収容空間に収容され、物品払出者による物品払出操作に応じて物品を払い出すサイズの異なる複数の物品払出ユニットと、前記物品払出ユニットの物品払出操作を可能・不可能な状態に制御するコントローラとを備えた物品払出装置であって、前記ユニット収容空間は、前記複数の物品払出ユニットを選択的に収容可能な複数の収容空間部を有することを特徴とする物品払出装置を提供する。
【００１１】
また、本発明は、上記した目的を達成するため、ユニット収容空間を内部に有する装置本体と、前記装置本体のユニット収容空間に収容され、物品払出者による物品払出操作に応じて物品を払い出す複数の物品払出ユニットと、前記物品払出ユニットの物品払出操作を可能・不可能な状態に制御するコントローラとを備えた物品払出装置であって、前記ユニット収容空間は、前記複数の物品払出ユニットのうち各ユニットサイズが互いに異なる少なくとも大中小３つの物品払出ユニット又はこれら少なくとも大中小３つの物品払出ユニットのうち特定の組み合わせによる複数の物品払出ユニットを選択的に収容可能な複数の収容空間部を有することを特徴とする物品払出装置を提供する。
【発明の効果】
【００１２】
本発明によれば、売れ行きの良い物品やサイズの比較的大きい物品の補充回数を削減することができるとともに、売れ行きの良い物品と悪い物品との補充タイミングのずれ発生を防止することができる。
【発明を実施するための最良の形態】
【００１３】
以下、本発明の実施の形態につき、図面に基づいて説明する。
【００１４】
（物品払出装置の全体構成）
図１は、本発明の実施の形態に係る物品払出装置を示す斜視図である。
図１において、符号１で示す物品払出装置は、筐体としての装置本体２と、物品払出者による物品払出操作に応じて物品を払い出す物品払出ユニットＡ〜Ｈと、物品払出ユニットＡ〜Ｈの物品払出操作を可能・不可能な状態に制御する制御ユニット（コントローラ）１０とによって大略構成されている。
【００１５】
（装置本体２の構成）
装置本体２は、図１に示すように、基台部２Ａ及び本体部２Ｂを有している。基台部２Ａは、物品払出装置１の座部材として機能し、全体が例えば鋼板等の金属材料からなる略五角形箱によって形成されている。そして、本体部２Ｂ及び物品払出ユニットＡ〜Ｈ・制御ユニット１０を保持するように構成されている。
【００１６】
一方、本体部２Ｂは、内部にユニット収納空間１００を有し、全体が例えば鋼板等の金属材料からなる略四角形箱によって形成されている。ユニット収納空間１００には、複数の物品払出ユニットＡ〜Ｈのうち各ユニットサイズ（幅方向寸法）が互いに異なる大中小３つの物品払出ユニットＡ（Ｂ〜Ｅ）・Ｆ（Ｇ）・Ｈ又はこれら大中小３つの物品払出ユニットＡ（Ｂ〜Ｅ）・Ｆ（Ｇ）・Ｈのうち特定の組み合わせによる複数の物品払出ユニットを選択的に収容可能な４つの収容空間部１００Ａ〜１００Ｄが形成されている。
【００１７】
なお、物品払出ユニットＡ〜Ｅのユニットサイズ（幅方向寸法）は等しい寸法に、また物品払出ユニットＦ・Ｇのユニットサイズ（幅方向寸法）は等しい寸法にそれぞれ設定されている。
【００１８】
収容空間部１００Ａには最大のユニットサイズと最小のユニットサイズとの間の中間のユニットサイズの物品払出ユニットＡ・Ｂが、また収容空間部１００Ｂには同じく中間のユニットサイズの物品払出ユニットＣ・Ｄがそれぞれ幅方向に互いに隣接して収容されている。収容空間部１００Ｃには、中間のユニットサイズの物品払出ユニットＥと、これに加えて最小のユニットサイズの物品払出ユニットＦ・Ｇとが左右（幅）方向に互いに隣接して収納されている。収容空間１００Ｄには、最大のユニットサイズの物品払出装置Ｈが収容されている。
【００１９】
収容空間部１００Ａ・１００Ｂには、中間のユニットサイズの物品払出装置Ａ〜Ｄに代え、最大のユニットサイズの物品払出装置Ｈを、また中間のユニットサイズの物品払出ユニットＥ及び最小のユニットサイズの物品払出ユニットＦ・Ｇを、さらには最小のユニットサイズの物品払出装置Ｆ・Ｇのみをそれぞれ収容することが可能である。同様にして、収容空間部１００Ｃ・１００Ｄには、それぞれ中間のユニットサイズの物品払出ユニットＥと最小のユニットサイズの物品払出装置Ｆ・Ｇに代え、物品払出装置Ａ・Ｂなど他の物品払出装置を収容することが可能である。
【００２０】
すなわち、収容空間部１００Ａ〜１００Ｄには、複数の物品払出ユニットＡ〜Ｈのうち各ユニットサイズ（幅方向寸法）が互いに異なる大中小３つの物品払出ユニットＡ（Ｂ〜Ｅ）・Ｆ（Ｇ）・Ｈ又はこれら大中小３つの物品払出ユニットＡ（Ｂ〜Ｅ）・Ｆ（Ｇ）・Ｈのうち特定の組み合わせによる複数の物品払出ユニットを選択的に収容することができる。
【００２１】
（物品払出ユニットＡ〜Ｅの構成）
図２は、本発明の実施の形態に係る物品払出装置における複数の物品払出ユニットのうちユニットサイズが中間サイズの物品払出装置を説明するために示す図である。図２（ａ）は、物品非収納状態を示す分解斜視図である。図２（ｂ）は、物品収納状態を示す側面図である。図２（ｂ）の物品払出ユニットは、図２（ａ）における物品払出ユニットからハンドルパネルが取り除かれている。
【００２２】
なお、物品払出ユニットＢ・Ｃは、ユニット内部空間（物品貯蔵部）の容積を拡大（縮小）するための背面板を物品払出ユニットＡ・Ｄ・Ｅから取り除いたユニットの構成と略同一の構成であるため、物品払出ユニットＡ・Ｄ・Ｅの構成についてのみ説明し、物品払出ユニットＢ・Ｃの構成についての説明は省略する。また、物品払出ユニットＡ・Ｄ・Ｅは、略同一の構成であるため、一の物品払出ユニットＡの構成についてのみ説明し、他の物品払出ユニットＤ・Ｅの構成についての説明は省略する。
【００２３】
物品払出ユニットＡは、図２（ａ）及び（ｂ）に示すように、ユニット筐体としてのユニット本体２００と、物品Ｐを払い出すための駆動力伝達機構としてのロータユニット３００と、ロータユニット３００を駆動するためのハンドル７１とを備え、装置本体２の収容空間部１００Ａに着脱自在に収容されている。なお、物品払出ユニットＡの収容空間部１００Ａへの装着は施錠によって、また収容空間１００Ａからの離脱は解錠によってそれぞれ行われる。
【００２４】
（ユニット本体２００の構成）
ユニット本体２００は、枠部材２５Ａ及び支柱２５Ｂを組み合わせてなる略四角形状の構造体２５と、構造体２５の前面壁を形成する前面パネル５と、構造体２５の側面壁を形成する側面パネル２７と、構造体２５の背面壁を形成する背面パネル４００と、構造体２５を補強するための補強板２６とを有している。
【００２５】
構造体２５は金属材料によって形成されている。構造体２５内の上部には、透明なカプセルに収納された玩具類やガム・飴・チョコレート等の物品Ｐを貯蔵する物品貯蔵部３Ａが設けられている。構造体２５内の中間部には、外部から物品貯蔵部３Ａに収納される物品Ｐを物品貯蔵部３Ａの前方領域（前面パネル５の裏面）に誘導する第１誘導板５０１が、また収容孔３８に誘導する第２誘導板３５がそれぞれ配設されている。構造体２５内の下部には、物品払出口９Ａに連通する物品通路としての傾斜ダクト３９が配設されている。
【００２６】
前面パネル５は、物品貯蔵部３Ａの物品Ｐを視認可能な透明パネル５Ａと、表示板として機能する看板パネル３２と、物品貯蔵部３Ａの物品Ｐを払い出すためのハンドル７１を保持するハンドルパネル７０Ａとからなり、構造体２５の前面部に配設されている。前面パネル５の上方には、ＬＥＤ(Light Emitting Diode)等からなるディスプレイランプ３３（ランプパネル）が配設されている。看板パネル３２には、物品貯蔵部３Ａの物品Ｐを宣伝したり、その物品Ｐの金額を通知したりするための文字等が表示されている。ハンドルパネル７０Ａには、外部に物品Ｐを取り出すための物品取出口９Ａが設けられている。また、ハンドルパネル７０Ａには、物品払出ユニットＡ・Ｄ・Ｅの装置本体２（収容空間部１００Ａ〜１００Ｃ）からの離脱を防止するための施錠部７４が配設されている。
【００２７】
側面パネル２７は、ガラス等の透明パネルからなり、構造体２５の両側面部に配設されている。なお、側面パネル２７は、透明パネルに限定されず、不透明パネルによって形成してもよい。
【００２８】
背面パネル４００は、構造体２５の後方開口一部を閉塞するための第１背面板４０１及び物品貯蔵部３Ａの容積を拡大するための箱状の第２背面板２１からなり、構造体２５の背面部に配設されている。第１背面板４０１には、前後方向に開口する貫通窓４０１Ａが設けられている。第２背面板２１は、構造体２５の外部に露呈させた状態で貫通窓４０１Ａの外側開口周縁に着脱自在に配設されている。なお、第２背面板２１は構造体２５の内部に収容した状態で貫通窓４０１Ａの内側開口周縁に配設することもできる。この場合、物品貯蔵部３Ａの容積は縮小することになる。
【００２９】
補強板２６は、側面パネル２７の下方に位置し、構造体２５の両側面部に配設されている。そして、前述したように構造体２５を補強するように構成されている。
【００３０】
（ロータユニット３００の構成）
ロータユニット３００は、ユニット基部台としてのユニットベース３００Ａと、物品払出者（物品購買者）によるハンドル回転操作によって回転するロータ３１とを有し、構造体２５内にユニット本体２００の上部空間（物品貯蔵部３Ａ）と下部空間とを隔成するように配設されている。
【００３１】
ユニットベース３００Ａは、有底丸筒状のベース本体３０１及びこのベース本体３０１の外周面に突出する鍔部３０２を有し、成形加工性にすぐれるポリアセタール樹脂材料によって形成されている。ベース本体３０１の周壁には、装置本体２の前方に開口する連結用窓３００ａが設けられている。また、ベース本体３０１の底部には、下方（ユニット本体２００の下部空間）に開口し、かつ物品払出口９Ａに傾斜ダクト３９を介して連通する誘導孔（図示せず）が設けられている。鍔部３０２には、円周方向に等間隔をもって並列する物品撹拌用のスプリング３７が複数個（１個のみ図示）取り付けられている。
【００３２】
ロータ３１は、ユニットベース３００Ａのベース本体３０１内に回転自在に配設され、全体が樹脂材料からなる円板によって形成されている。ロータ３１には、物品Ｐの外形サイズに対応する開口サイズをもつ複数の収容孔３８が円周方向に等間隔をもって配設されている。そして、収容孔３８は、ハンドル７１の回転操作によるロータ３１の回転動作によって傾斜ダクト３９（ベース本体３０１の誘導孔）に連通するような位置に配置されている。ロータ３１の外周縁には、ハンドル７１のギアに噛合するギア部３６が設けられている。
【００３３】
ロータ３１の中央部（ロータキャップ）には、円周方向に等間隔をもって並列する物品撹拌用のスプリング３０４が複数個（３個）取り付けられている。
【００３４】
なお、ロータ３１の形成材料としては、ロータ形状が複雑であるため、成形加工性にすぐれ、また物品貯蔵部３Ａに収納される物品Ｐには食品も含まれるため、食品に対して安全性にすぐれた例えばポリアセタールが好ましい。また、ギア部付きのロータ３１については、分割形成することにより量産性を高めることができる。
【００３５】
ハンドル７１は、ハンドル軸７２を有し、ハンドルパネル７０Ａに回転自在に配設されている。ハンドル軸７２は、ハンドルロック部４３Ａによって回転が規制されている。ハンドル軸７２には、ロータ３１のギア部３６に噛合するギア７３が固着されている。ハンドルロック部４３Ａは、プランジャ（図示せず）をハンドル軸７２に係合してハンドル７１（ハンドル軸７２）の回転を規制し、また硬貨投入口１３（後述）への硬貨の投入に基づくロック解除信号の入力によってプランジャとの係合状態を解除してハンドル７１を回転し得るように構成されている。
【００３６】
（物品払出ユニットＦ・Ｇの構成）
図３は、本発明の実施の形態に係る物品払出装置における複数の物品払出ユニットのうち、ユニットサイズが最小サイズの物品払出装置を側方から見た断面図である。図４は、図３の要部を示す断面図である。図５は、図３の物品払出装置における残量有無表示板の駆動力伝達機構を説明するために示す図である。図５（ａ）は、駆動力伝達機構における駆動力伝達開始前の状態を示す側面図である。図５（ｂ）は、駆動力伝達機構における駆動力伝達開始直後の状態を示す側面図である。図５（ｃ）は、駆動力伝達機構における駆動力伝達終了の状態を示す側面図である。図６は、図５における駆動力伝達機構の駆動によって動作する残量有無表示板の表示状態を説明するために示す図である。図６（ａ）は、図５（ａ）に示す残量有無表示板を物品払出ユニットの前面部から見た正面図である。図６（ｂ）は、図５（ｂ）に示す残量有無表示板を物品払出ユニットの前面部から見た正面図である。図６（ｃ）は、図５（ｃ）に示す残量有無表示板を物品払出ユニットの前面部から見た正面図である。
【００３７】
物品払出ユニットＦ・Ｇは、共通のユニット筐体を有し、他の構成については略同一の構成であるため、一方の物品払出ユニットＦの構成についてのみ説明し、他方の物品払出ユニットＧの構成についての説明は省略する。
【００３８】
物品払出ユニットＦは、図３に示すように、ユニット筐体としてのユニット本体４０５と、物品Ｐとしてのカード類を貯蔵する物品貯蔵箱４１０と、物品貯蔵箱４１０内の物品Ｐを払い出すための駆動力伝達機構４２０と、駆動力伝達機構４２０を駆動するためのハンドル４３０と、ハンドル４３０の回転操作による駆動力伝達機構４２０の駆動によって進退する物品押出部材４４０と、物品貯蔵箱４１０内の物品Ｐを押えるためのウエイト４５０と、ウエイト４５０によって回動する残量有無表示板４６０とを備え、図１に示すように物品払出ユニットＥに隣接して配設され、かつ装置本体２の収容空間部１００Ｃに着脱自在に収容されている。なお、物品払出ユニットＦの収容空間部１００Ｃへの装着は施錠によって、また収容空間部１００Ｃからの離脱は解錠によってそれぞれ行われる。
【００３９】
（ユニット本体４０５の構成）
ユニット本体４０５は、前方に開口する略四角形状の構造体２５０と、構造体２５０の前面壁を形成する前面パネル２５１とを有している。
構造体２５０は金属材料によって形成されている。構造体２５０には、物品貯蔵箱４１０及び駆動力伝達機構４２０等を収容するための空間部２５０Ａが形成されている。
【００４０】
前面パネル２５１は、構造体２５０の空間部２５０Ａを視認可能な透明パネル２５１Ａと、表示板として機能する看板パネル２５２Ｂと、ハンドル４３０を保持するハンドルパネル２５２Ｃとからなる。透明パネル２５１Ａは、２枚の透明樹脂板の間に厚紙等で形成される看板パネル２５２Ｂを挟み込み、構造体２５０の前面部に図３に示すように開閉自在に枢支されている。前面パネル２５１の上方には、ＬＥＤ(Light Emitting Diode)等からなるディスプレイランプ４８０（ランプパネル）が配設されている。ディスプレイランプ４８０の側方には、前面パネル２５１の装置本体２からの開放を防止するための施錠部４８１が配設されている。
【００４１】
看板パネル２５２Ｂには、残量有無表示板４６０を視認可能な透明窓２５２ｂが配設されている。看板パネル２５２Ｂの前面部には、物品貯蔵箱４１０内の物品Ｐを宣伝したり、その物品Ｐの金額を通知したりするための文字等が表示されている。看板パネル２５２Ｂの背面部には、物品貯蔵箱４１０及び駆動力伝達機構４２０を保持するホルダ２５３が配設されている。また、看板パネル２５２Ｂには、外部に物品Ｐを取り出すための物品取出口２５２ｃが設けられている。
【００４２】
物品貯蔵箱４１０は、物品Ｐを積層した状態で貯蔵する空間部４１０Ａを有し、前面パネル２５１の裏面に所定の間隔をもってホルダ２５３の上部に配設されている。物品貯蔵箱４１０には、上方に開口し、物品Ｐの収納や補充・回収を可能にするための物品挿抜口４１０Ｂが設けられている。物品貯蔵箱４１０の前面部には、ウエイト４５０のフック４５０Ａを上下方向（物品貯蔵箱４１０の縦方向）に案内するガイド孔及びこのガイド孔の両側に並列するカード視認窓（共に図示せず）が設けられている。物品貯蔵箱４１０の背面部には、ウエイト４５０のフック４５０Ｂを上下方向に案内するガイド孔及び物品押出部材４４０を挿抜するための押出部材挿抜口（共に図示せず）が設けられている。なお、物品貯蔵箱４１０内には、カード類の他、二つ折りの厚紙によって挟まれたステッカーやシール・写真等の小紙片が貯蔵される。
【００４３】
駆動力伝達機構４２０は、ハンドル４３０のハンドル軸に沿って延在するシャフト４２１と、購買者によるハンドル４３０の回転操作によって回転する円筒４２２とを有し、構造体２５０内に配設され、かつホルダ２５３にブラケット４２３を介して保持されている。
【００４４】
シャフト４２１は、両端部がブラケット４２３に軸止され、かつ円筒４２２に挿通されている。
【００４５】
円筒４２２は、シャフト４２１の周囲に回転自在に配設され、かつハンドル４３０のハンドル軸に連結されている。円筒４２２の外周面には、物品押出部材４４０に進退力を付与するための螺旋状のカム４２２Ａが配設されている。
【００４６】
ハンドル４３０は、ハンドル軸（図示せず）を有し、ハンドルパネル２５２Ｃに回転自在に配設されている。ハンドル軸は、ハンドル７１（図２に示す）と同様にハンドルロック部（図示せず）によって回転が規制されている。ハンドルロック部も、ハンドルロック部４３Ａ（図２に示す）と同様にプランジャ（図示せず）をハンドル軸に係合してハンドル４３０の回転を規制し、また硬貨投入口１３（後述）への硬貨の投入に基づくロック解除信号の入力によってプランジャとの係合状態を解除してハンドル４３０を回転し得るように構成されている。
【００４７】
物品押出部材４４０は、カム４２２Ａに沿って転動する一対のローラ４４０Ａ，４４０Ｂを有し、ホルダ２５３に進退自在に配設されている。そして、ハンドル４３０の回転操作による円筒４２２の回転によってユニット本体４００（装置本体２）の前後方向に進退するように構成されている。
【００４８】
これにより、購買者の回転操作によってハンドル４３０が時計回りに回転すると、物品押出部材４４０が図３に実線で示す待機位置（進行位置）から同図に２点鎖線で示す退避位置に退避した後、待機位置に進行して物品貯蔵箱４１０内の物品Ｐのうち最下方の物品Ｐが物品取出口２５２ｃに押し出される。この場合、物品押出部材４４０が待機位置から退避位置に退避すると、物品貯蔵箱４１０内の物品Ｐがウエイト４５０によって下降し、最下方の物品Ｐが物品押出部材４４０と同一の高さ位置に配置される。
【００４９】
ウエイト４５０は、物品貯蔵箱４１０内の物品Ｐを下方に押圧するウエイト本体４５０Ｃと、ウエイト４５０Ｃの前後に突出する一対のフック４５０Ａ，４５０Ｂとを有し、物品貯蔵箱４１０内を昇降自在に配設されている。
【００５０】
ウエイト本体４５０Ｃは、物品貯蔵箱４１０内に物品Ｐのうち最上方の物品Ｐ上に配置され、物品貯蔵箱４１０内の物品Ｐの貯蔵量に応じてその高さ位置を可変するように構成されている。
【００５１】
フック４５０Ａ，４５０Ｂは、一部をガイド孔（図示せず）から物品貯蔵箱４１０外に露出させ、ウエイト本体４５０Ｃの前後端縁にそれぞれ取り付けられている。このうちフック４５０Ａは、残量有無表示板４６０の駆動力伝達部材として機能するように構成されている。
【００５２】
残量有無表示板４６０は、表示部４６０Ａを有するコ字状の枢支部材からなり、前面パネル２５１と物品貯蔵箱４１０間に配設され、かつ透明窓２５２ｂの近傍に回転自在に枢支されている。これにより、購買者等が物品貯蔵箱４１０内における物品Ｐの有無を知り得るように構成されている。
【００５３】
この場合、残量有無表示板４６０に対するフック４５０Ａの非押圧状態（図５（ａ）に示す状態）においては、図６（ａ）に示すように残量有無表示板４６０の非表示部が透明窓２５２ｂ内に正立した状態で配置され、このため購買者等には残量有無表示板４６０の非表示部が視認され、物品貯蔵箱４１０内における物品Ｐの「残量有り」状態を知ることができる。
【００５４】
また、図５（ｂ）に示すようにウエイト４５０の下降によるフック４５０Ａの押圧によって残量有無表示板４６０が時計回りの回動を開始し、図６（ｂ）に示すように残量表示板４６０の表示部４６０Ａが傾斜した状態で透明窓２５２ｂ内に配置され、このため購買者等には表示部４６０Ａの一部が視認され、物品貯蔵箱４１０内における物品Ｐの「残量少（残量有り）」状態を知ることができる。
【００５５】
そして、図５（ｃ）に示すようにウエイト４５０の下降によるフック４５０Ａの押圧によって残量有無表示板４６０が時計回りにさらに回動し、図６（ｃ）に示すように残量表示板４６０の表示部４６０Ａが正立した状態で透明窓２５２ｂ内に配置され、このため購買者等には表示部４６０Ａの全てが視認され、物品貯蔵箱４１０内における物品Ｐの「残量無し」状態を知ることができる。
【００５６】
（物品払出ユニットＨの構成）
図７は、本発明の実施の形態に係る物品払出装置における複数の物品払出ユニットのうちユニットサイズが最大サイズの物品払出装置を説明するために示す図である。図８は、図７の物品払出ユニットにおける物品撹拌用のスプリングを説明するために示す図である。図８（ａ）は斜視図であり、図８（ｂ）は正面図である。
【００５７】
物品払出ユニットＨは、図２に示す物品払出ユニットＡ・Ｃ・Ｅとはユニットサイズ（幅方向寸法）が異なる（物品払出ユニットＨのユニットサイズが物品払出ユニットＡ・Ｃ・Ｅのユニットサイズより大きい）ため、これに伴い各構成部品が大きい寸法に設定されている。また、物品撹拌用のスプリング以外の各構成部品については略同一に構成されているため、物品用撹拌用のスプリング（周辺の機構）の構成についてのみ説明し、その他の構成についての説明は省略する。なお、図７及び図８において、図２と同一又は同等の部材（物品撹拌用のスプリングは除く）については同一の符号を付し、詳細な説明は省略する。
【００５８】
図７に示す物品払出ユニットＨのロータ３１の中央部には、図８（ａ）及び（ｂ）に示すように互いに支柱７００を介して対向する上下２つのスプリングホルダ７０１，７０２からなるホルダ機構７１０が配設されている。支柱７００は、ロータ３１の略中心を通る仮想線上に配置されている。
【００５９】
上方のスプリングホルダ７０１には、水平方向に所定の間隔をもって並列する一対の物品撹拌用の第１スプリング７０３，７０４が立設されている。第１スプリング７０３，７０４は、途中部を屈曲させてロータ３１の中心から離間する偏心位置に配置されている。
【００６０】
下方のスプリングホルダ７０２には、水平方向に所定の間隔をもって並列する一対の物品撹拌用の第２スプリング７０５，７０６が立設されている。第２スプリング７０５は第１スプリング７０４の屈曲方向とは反対側に途中部を屈曲させ、第１スプリング７０４の偏心位置とはローラ中心に関し略対称な偏心位置に配置されている。第２スプリング７０６は、第１スプリング７０３の屈曲方向とは反対側に屈曲させ、第１スプリング７０３の偏心位置とはローラ中心に関し略対称な偏心位置に配置されている。
【００６１】
（制御ユニット１０の構成）
図９は、本発明の実施形態に係る物品払出装置における制御ユニットの回路を示すブロック図である。
【００６２】
制御ユニット１０は、図９に示すように、ユニット筐体としてのユニット本体６００（図１に示す）と、購買者の釦操作によって物品払出ユニットＡ〜Ｈの選択信号を発生するための操作パネル１２と、投入硬貨を処理して硬貨処理信号を発生するコインメカ１５と、各信号を処理する信号処理装置６０１とを備え、装置本体２のユニット収容空間１００（共に図１に示す）の中央部に着脱自在に収容されている。
【００６３】
ユニット本体６００内には、回路等を内蔵する空間部（図示せず）が形成されている。操作パネル１２は、物品払出ユニットＡ〜Ｈに対応する複数の選択釦を有し、ユニット本体６００の前面部に配設されている。コインメカ１５は、物品Ｐの代金としての硬貨を投入するための硬貨投入口１３及び硬貨を返却するための硬貨返却口１４を有し、硬貨処理部４２を内蔵し、ユニット本体６００内に配設されている。
【００６４】
信号処理装置６０１は、保守点検時にオペレータによって操作されて各種設定の登録・読み出し・メンテナンスプログラムの実行を指示するキーボード等の入力部４５と、各種設定に基づいて設定されたデータや販売量データ等を販売日時とともに記憶するデータ記憶部４４Ａ及びメンテナンスプログラム等のプログラムを記憶するプログラム記憶部４４Ｂを有する記憶部４４と、各種設定および動作テストの結果を表示するＬＣＤ（Liquid Crystal Display）等の表示部１１と、各部を制御する制御部４１より構成される。なお、制御部４１には、販売量データに販売日時を付すための時計回路（図示せず）が内蔵されている。
【００６５】
また、信号処理装置６０１は、プログラム記憶部４４Ｂに記憶されたメンテナンスプログラムに基づいて、各種設定により設定されたデータや販売量等のデータをプリントアウトする図示しないプリンタを有している。
【００６６】
そして、信号処理装置６０１は、操作パネル１２から入力される物品払出ユニットＡ〜Ｈの選択信号と、コインメカ１５から代金に応じて入力される硬貨処理信号とに基づいて販売条件を満たすと、該当する物品払出ユニットＡ〜Ｈのハンドルロック部４３Ａ〜４３Ｈに制御ユニット１０（制御部４１）はロック解除信号を出力する。これに伴い、ハンドルロック部４３Ａ〜４３Ｈは、ロック解除信号を受けてハンドル７１のロックを電気的に解除する。これにより、購買者がハンドル７１を回転操作することが可能になる。
【００６７】
（物品払出装置１の動作）
購買者は、物品払出ユニットＡ〜Ｈから自分の購入したい物品Ｐが貯蔵されている物品払出ユニットを選択し、その金額に応じた硬貨を硬貨投入口１３に投入する。コインメカ１５の硬貨処理部４２は、投入された硬貨の適否を材質・外径等から判断し、「適正」と判断した硬貨を所定の硬貨通路に振り分けて金庫に誘導する。また、この過程で金種が判定され、投入された硬貨の合計金額を制御部４１に出力する。制御部４１は、合計金額に対応する操作パネル１２の選択釦を点灯させて「販売可能であること」を購買者に通知する。
【００６８】
次いで、購買者は、点灯している選択ボタンの中から自分の購入したい物品Ｐが貯蔵されている物品払出ユニットに対応した選択釦を押下する。例えば、購買者が物品払出ユニットＡを選択する選択釦を押下すると、制御部４１に選択信号が入力される。制御部４１は、選択信号に基づいて記憶部４４に販売数データを出力するとともにハンドルロック部４３Ａにロック解除信号を出力する。記憶部４４は、制御部４１から販売数データを入力されると、データ記憶部４４Ａに物品払出ユニットＡの販売数データを累積する。
【００６９】
しかる後、購買者は物品払出ユニットＡのハンドル７１を手操作で時計回りに回転させる。ハンドル７１の回転力はハンドル軸７２を介してギア７３に伝達される。ギア７３からの回転力はロータ３１に伝達され、これに伴いロータ３１が回転して収容孔３８内に収容されている物品Ｐが誘導孔（図示せず）に誘導される。これにより、誘導孔（図示せず）から１個の物品Ｐが払い出されて傾斜ダクト３９に落下する。傾斜ダクト３９は、傾斜面に沿って物品Ｐを物品取出口９Ａに誘導する。なお、ハンドル７１は、１回転するとハンドルロック部４３Ａによって再び電気的にロックされる。
【００７０】
そして、購買者は物品取出口９Ａのフラッパを手で開くことによって物品取出口９Ａから物品Ｐを取り出す。
【００７１】
このようにして物品を販売すると、物品払出ユニットＡ〜Ｈで扱う物品について、売り切れ・売れ残りによる貯蔵量のばらつきが発生する。次に、物品払出ユニットＡ〜Ｈにおける販売数の実績に基づき、物品払出装置１のユニット増減を変更する操作について説明する。
【００７２】
（物品払出装置１のユニット増減変更）
図１０は、本発明の実施の形態に係る物品払出装置のユニット増減変更についての手順を示すフローチャートである。図１１は、本発明の実施の形態に係る物品払出装置の物品払出ユニットの配置例を模式的に示す図である。図11（ａ）は、物品払出ユニットの配置例（１）を示す正面図である。図１１（ｂ）は、物品払出ユニットの配置例（２）を示す正面図である。
【００７３】
本実施形態のユニット増減変更においては、「物品払出装置の設置」と「初期設定」と「販売開始」と「販売状況の調査」と「入力部の操作」と「ユニットの増減」と「物品補充」との各処理が順次実施されるため、これら各処理を順次説明する。
【００７４】
「物品払出装置の設置」
まず、物品払出装置１の管理者は、多数の購買者の集まる店舗等の場所に物品払出装置１を設置する（ステップＳ１０）。この場合、図１１（ａ）に示すように、物品払出ユニットＡ・Ｂは収容空間部１００Ａに、物品払出ユニットＣ・Ｄは収容空間部１００Ｂに、物品払出ユニットＥ・Ｆ・Ｇは収容空間部１００Ｃに、物品払出ユニットＨは収容空間部１００Ｄに収容されているものとする。
【００７５】
「初期設定」
管理者は、入力部４５を操作して、物品Ｐの販売に基づいて発生する販売数データを累積するように制御ユニット１０の記憶部４４に対し物品払出装置１の初期設定を行う（ステップＳ１１）。
【００７６】
「販売開始」
管理者は、各物品払出ユニットＡ〜Ｈの各物品貯蔵部に物品Ｐを収納して物品Ｐの販売を開始する（ステップＳ１２）。購買者が物品払出ユニットＡ〜Ｈから物品Ｐを選択して購入すると、この購入された物品Ｐの販売数データが記憶部４４のデータ記憶部４４Ａに累積される。
【００７７】
「販売状況の調査」
物品Ｐの販売開始から一定期間（例えば、物品Ｐの補充サイクルとして２週間）が経過した時点で管理者が販売状況（物品Ｐの残量）を調査する（ステップＳ１３）。この場合、物品Ｐの残量が有る（ステップＳ１３のＮＯ）場合にはステップＳ１４に進む。また、物品Ｐの残量が無い（ステップ１３のＹＥＳ）場合には、物品Ｐの販売が停止される。物品Ｐの販売停止後は、例えば新たな販売企画による物品Ｐが物品払出ユニットＡ〜Ｈに補充されてその販売が行われる。
【００７８】
「入力部の操作」
管理者は、メンテナンスプログラムが実行されるように制御ユニット１０の入力部４５を操作する（ステップＳ１４）。ここで、制御部４１によってプログラム記憶部４４Ｂからメンテナンスプログラムが読み込まれ、これにより物品払出ユニットＡ〜Ｈの各物品Ｐについての販売数データが表示部４６に表示される。
【００７９】
「ユニットの増減」
管理者は、表示された販売数データと物品払出ユニットＡ〜Ｈの物品Ｐの貯蔵量を基に物品払出ユニットＡ〜Ｈの増減変更の必要性を判断する（ステップＳ１５）。ここで、例えば物品払出ユニットＦ・Ｇにおいて既に物品Ｐが売り切れており、かつ販売数データの販売日時から売り切れまでの期間が数日間にわたり、また物品払出ユニットＢにおいては物品Ｐの残量が物品払出ユニットＣと比べて多い場合には、ユニット増減変更の「必要性あり」と判断し（ステップＳ１５のＹＥＳ）、図１１（ｂ）に示すように物品払出ユニットＢ（中間サイズの物品払出ユニット）を収容空間部１００Ａから取り除くとともに、この収容空間部１００Ａに物品払出ユニットＦ・Ｇ（中間サイズの物品払出ユニット）を収容する（ステップ１６）。また、ユニット増減変更の「必要性無し」と管理者が判断した（ステップＳ１５のＹＥＳ）場合には、ユニット増減変更を行わずにステップＳ１７に進む。
【００８０】
「物品補充」
管理者は、物品払出ユニットＡ〜Ｈに物品Ｐを補充する（Ｓ１７）。次に、制御ユニット１０の入力部４５を操作してデータ記憶部４４Ａにおける販売量データのリセット処理を実行し、メンテナンスプログラムを終了してステップＳ１２に戻る。以降の販売過程において、物品Ｐの販売に基づいて発生する販売数データが記憶部４４のデータ記憶部４４Ａに累積される。
【００８１】
（実施の形態の効果）
以上説明した実施の形態によれば、次に示す効果が得られる。
（１）物品Ｐの売れ行きに応じた物品払出ユニットＡ〜Ｈの配置をユニット増減変更によって行うことができる。このため、物品払出ユニットＡ〜Ｈ間において物品Ｐの販売量に差異があっても、単一の物品払出ユニット間でその残量を均一化することができ、売れ行きの良い物品やサイズの比較的大きい物品の補充回数を削減することができるとともに、売れ行きの良い物品と悪い物品との補充タイミングのずれ発生を防止することができる。
【００８２】
（２）売れ行きの良い物品Ｐについては、この物品Ｐを貯蔵する特定の物品払出ユニットＡ〜Ｈをユニット収容空間１００に収容して増加することができるため、販売数が増加しても売り切れが生じることがない。
【００８３】
（３）売れ行きの悪い物品Ｐについては、この物品Ｐを貯蔵する物品払出ユニットＡ〜Ｈをユニット収容空間１００から取り除いて減少することができるため、単一の物品払出ユニット間で売れ行きの良い物品Ｐとの比較において残量を均一化して販売することができ、在庫過多を防止することができる。
【００８４】
（４）ユニット収容空間１００に対する物品払出ユニットＡ〜Ｈの収容（装着）・取り除き（離脱）によってユニット増減を実現することができ、装置構成を複雑にすることがない。
【００８５】
なお、本実施の形態においては、物品払出ユニットＡ〜Ｈの収容空間部１００Ａ〜１００Ｄをユニット収容空間１００の２列・２行に対応する位置に（縦横に２つずつ）配置する場合について説明したが、本発明はこれに限定されず、収容空間部のレイアウト・個数は適宜変更することができる。
【００８６】
また、本実施の形態においては、各ユニットサイズ（幅方向寸法）が互いに異なる大中小３つの物品払出ユニット又はこれら大中小３つの物品払出ユニットのうち特定の組み合わせによる複数の物品払出ユニットをユニット収容空間に選択的に収容する場合について説明したが、本発明はこれに限定されず、例えば各ユニットサイズ（幅方向寸法）が互いに異なる大中小３つの物品払出ユニット及びこれら大中小３つの物品払出ユニットよりさらに小さい（大きい）物品払出ユニット、又はこれら大中小３つの物品払出ユニット及びこれら大中小３つの物品払出ユニットよりさらに小さい（大きい）物品払出ユニットのうち特定の組み合わせによる複数の物品払出ユニットをユニット収容空間に選択的に収容することもできる。すなわち要するに、複数の物品払出ユニットのうち各ユニットサイズが互いに異なる少なくとも大中小３つの物品払出ユニット又はこれら少なくとも大中小３つの物品払出ユニットのうち特定の組み合わせによる複数の物品払出ユニットをユニット収容空間に選択的に収容してもよい。
【図面の簡単な説明】
【００８７】
【図１】本発明の実施の形態に係る物品払出装置を示す斜視図。
【図２】本発明の実施の形態に係る物品払出装置における複数の物品払出ユニットのうちユニットサイズが中間サイズの物品払出装置を説明するために示す図。
【図３】本発明の実施の形態に係る物品払出装置における複数の物品払出ユニットのうちユニットサイズが最小サイズの物品払出装置を側方から見た断面図。
【図４】図３の要部を示す断面図。
【図５】本発明の実施の形態に係る物品払出装置における残量有無表示板の駆動力伝達機構を説明するために示す図。
【図６】図５における駆動力伝達機構の駆動によって動作する残量有無表示板の表示状態を説明するために示す図。
【図７】本発明の実施の形態に係る物品払出装置における複数の物品払出ユニットのうちユニットサイズが最大サイズの物品払出装置を説明するために示す図。
【図８】図７の物品払出ユニットにおける物品撹拌用のスプリングを説明するために示す正面図。
【図９】本発明の実施の形態に係る物品払出装置における制御ユニットの回路を示すブロック図。
【図１０】本発明の実施の形態に係る物品払出装置のユニット増減変更についての手順を示すフローチャート。
【図１１】本発明の実施の形態に係る物品払出装置の物品払出ユニットの配置例を模式的に示す図。
【符号の説明】
【００８８】
１…物品払出装置、２…装置本体、２Ａ…基台部、２Ｂ…本体部、３Ａ…物品貯蔵部、５…前面パネル、９Ａ…物品払出口、１０…制御ユニット、１１…表示部、１２…操作パネル、１３…硬貨投入口、１４…硬貨返却口、１５…コインメカ、２１…第１背面板、２５…構造体、２５Ａ…枠部材、２５Ｂ…支柱、２６…補強板、２７…側面パネル、３１…ロータ、３２…看板パネル、３３…ディスプレイランプ、３５…第２誘導板、３６…ギア部、３８…収容孔、３９…傾斜ダクト、４１…制御部、４２…硬貨処理部、４３Ａ〜４３Ｈ…ハンドルロック部、４４…記憶部、４４Ａ…データ記憶部、４４Ｂ…プログラム記憶部、４５…入力部、７０Ａ…ハンドルパネル、７１…ハンドル、７２…ハンドル軸、７３…ギア、７４…施錠部、１００…ユニット収容空間、１００Ａ〜１００Ｄ…収容空間部、２００…ユニット本体、２５０…構造体、２５０Ａ…空間部、２５１…前面パネル、２５１Ａ…透明パネル、２５２Ｂ…看板パネル、２５２ｂ…透明窓、２５２ｃ…物品取出口、２５２Ｃ…ハンドルパネル、３００…ロータユニット、３００Ａ…ユニットベース、３０１…ベース本体、２５３…ホルダ、３０４…スプリング、４００…背面パネル、４０１…第１背面板、４０１Ａ…貫通窓、４０５…ユニット本体、４１０…物品貯蔵箱、４１０Ｂ…物品挿抜口、４２０…駆動力伝達機構、４２１…シャフト、４２２…円筒、４２２Ａ…カム、４２３…ブラケット、４３０…ハンドル、４４０…物品押出部材、４４０Ａ，４４０Ｂ…ローラ、４５０…ウエイト、４５０Ａ，４５０Ｂ…フック、４５０Ｃ…ウエイト本体、４６０…残量有無表示板、４６０Ａ…表示部、４８０…ディスプレイランプ、４８１…施錠部、５０１…第一誘導板、６００…ユニット本体、６０１…信号処理装置、７００…支柱、７０１，７０２…スプリングホルダ、７０３，７０４…第１スプリング、７０５，７０６…第２スプリング、７１０…ホルダ機構、Ａ〜Ｈ…物品払出ユニット、Ｐ…物品
【図１】
2006024044.tif 000003
【図２】
2006024044.tif 000004
【図３】
2006024044.tif 000005
【図４】
2006024044.tif 000006
【図５】
2006024044.tif 000007
【図６】
2006024044.tif 000008
【図７】
2006024044.tif 000009
【図８】
2006024044.tif 000010
【図９】
2006024044.tif 000011
【図１０】
2006024044.tif 000012
【図１１】
2006024044.tif 000013